Podtech/llm-jp-corpus-v4-ja_patent huggingface dataset:
(57)【要約】【課題】    世間一般の方、お年寄り、目の不自由な方にもリモコンの場所を簡単に見つけ出せるようにすること【解決手段】    リモートコントロールが付いている電化製品本体に探索ボタンをあらかじめ内蔵させそのボタンを押すことでその電波をキャッチしリモートコントロールから音が発するようにする【選択図】図１  図２
0003128100.tif 000002
【実用新案登録請求の範囲】
【請求項１】
リモートコントロールが備え付けられている電化製品すべて
【考案の詳細な説明】
【技術分野】
【０００１】リモートコントロールが備え付けられている電化製品すべて
【考案の開示】
【考案が解決しようとする課題】
【０００２】リモートコントロール紛失の助けをし素早く見つけ出す。
【課題を解決するための手段】
【０００３】リモートコントロールが付いている電化製品本体に探索ボタンをあらかじめ内蔵させそのボタンを押すことでリモートコントロールから音が発するようにする。
【考案の効果】
【０００４】世間一般のどなたでもリモコンが何処に行ったのかわからず困られた経験があるとおもいます。そのような時にいち早く見つけ出せる機能であり、お年寄り、目の不自由な方にもリモコンのある場所が楽に見つけ出せる効果がある。
【考案を実施するための最良の形態】
【０００５】リモートコントロールが付いている電化製品本体に探索ボタンをあらかじめ内蔵させそのボタンを押すことでリモートコントロールから音が発するようにする。リモートコントロールが溢れかえる世の中なので他のリモートコントロールと区別するためにもリモートコントロール別にいろんな種類の音が備えつけられ選べるとさらによい。
【実施例】
【０００６】テレビ本体に探索発信ボタンを付け、リモートコントロールが無くなった場合そのボタンを押すとリモートコントロールから着信ベルが発され、すぐに見つけることができる。
【図面の簡単な説明】
【図１】［例；テレビ］
【図２】［例；扇風機］
【符号の説明】
0003128100.tif 000003
【図１】
0003128100.tif 000004
【図２】
0003128100.tif 000005
(57)【要約】      （修正有）【課題】本考案は、同時に三面に表示するディスプレイにおいて、視覚的に多くの情報効果を持たせ、従来の数倍の情報量を提供するものである。【解決手段】布・不織布・紙・プラスチック素材からなるシートにプリーツをつけ、プリーツの間のシート正面、各プリーツの左側面・右側面には、それぞれ少なくとも一つの異なる表示が施されてプレス加工やなか芯を入れることにより、左右に倒れることを防ぎ、視覚的な情報をよりみやすく多くの情報を提供するものとした。【選択図】図１
0003128099.tif 000002
【実用新案登録請求の範囲】
【請求項１】
縦方向に一定間隔に設けられた複数のプリーツを施した三面ディスプレイであって、前記各プリーツの間のシート正面、各プリーツの左側面・右側面には、それぞれ少なくとも一つの異なる表示が施されていることを特徴とする三面ディスプレイ。
【請求項２】
前記シートの各プリーツは、裏面に沿って挿入されたなか芯を有し、該なか芯は、横断面が交互にＬ字形であることを特徴とする請求項１記載の三面ディスプレイ。
【請求項３】
前記なか芯は縦方向の一部に切込みがあって、該切込みを交互に略直角に折り曲げてなる舌片状を有することを特徴とする請求項２記載の三面ディスプレイ。
【請求項４】
前記シートは繊維質素材からなることを特徴とする請求項１ないし３記載の三面ディスプレイ。
【考案の詳細な説明】
【技術分野】
【０００１】  本考案は、布・不織布・紙・プラスチック素材からなる三面ディスプレイに属する。
【背景技術】
【０００２】  使用素材をプレス技術によってプリーツ状に加工し、素材を立体状にすることにより、見る角度によって違った図柄を表示する技術は古来より知られている。
【特許文献１】実公証３６−３７３２号公報
【考案の開示】
【考案が解決しようとする課題】
【０００３】  しかしながら、素材として布は安価で印刷しやすい点で有利であるが、素材に布を使用した場合、プリーツ加工部分が左右に倒れることにより、図柄が明確に見えなくなるなどの欠点があった。
【課題を解決するための手段】
【０００４】  本考案は、シートのプリーツ加工部分が左右に倒れることにより、図柄が明確に見えにくくなることを考慮し、プリーツの立ち上げ部分に合成樹脂などのしっかりとした素材（図５）を挿入し、背面に固定することにより上記課題を解決するものである。
【考案を実施するための最良の形態】
【０００５】  本考案においてシートとして、軽く加工のしやすいシルクスクリーンが好ましい為、シートとしてシルクスクリーンを使用することが出来る。表現したい３種類の違った図柄を、デザイン１・デザイン２・デザイン３とする。デザイン１は正面から見た図柄、デザイン２は右斜めから見た図、デザイン３は左斜めから見た図となる。（図２−Ａ）【０００６】  その３種類の違った図柄を一定の幅に線をいれ、デザイン１の左端から１−ａ・１−ｂ・１−ｃと表現すると、デザイン２は左端から２−ａ・２−ｂ・２−ｃと表現出来、デザイン３は、３−ａ・３−ｂ・３−ｃと表現できる。（図２−Ｂ）【０００７】  （図２−Ｂ）図柄の配置をパソコン上で変え、並び順を１−ａ・２−ａ・３−ａ・１−ｂ・２−ｂ・３−ｂ・１−ｃ・２−ｃ・３−ｃの順に並べ替え、印刷したいシート（シルクスクリーン）に印刷する。（図３）【０００８】  （図３）の線を入れた部分を左から４・５・６・７・８・９・・・・と番号を付けると、４を谷折り、５を山折り、６を谷折り、７を谷折り、８を山折り、９を谷折り、１０を谷折り、にプリーツ加工する。（図４）【０００９】  （図４）は（図３）を折ってプリーツ加工したものを、裏側から見た斜視図である。【０００１０】  合成樹脂などのしっかりとした素材をなか芯として使用するために、たて幅が出来上がりのものより数ミリ小さく、横幅がプリーツ加工の張り合わせ部分の１．５倍より数ミリ小さめのプレートを用意する。数ミリの誤差は作るものの素材の厚さや強度で変化させる。【０００１１】  そのプレートの横幅の３分の２のところで縦に線をいれる。
プレートの右半分に一定間隔に切り込みをいれ（図５−１３）、プレートの縦線部分は折り線を入れる。（図５）【０００１２】  プレート（図５）の中心部分の上から１４・１５・１６・１７・・・と折り線に番号を付け、偶数番号１４・１６・・・・は谷折り、奇数番号１５・１７・１９・・・は山折りにすると舌片状となり、残りはプリーツ間への挿入部となる。（図６）【０００１３】  プレートの形や幅は、印刷に使用する素材により形や幅を変化させる。【０００１４】  （図４）の４と６を合わせ、その間になか芯（図６）の１１・１２部分に両面テープなどの粘着層を貼り付け、（図４）の面Ｂに貼り付け、上から見た平面図（図７）の状態にする。【０００１５】  おもて側（印刷面）から見て、正面から見た図柄のデザイン１（図８−１）が見え、正面より向かって左から見ると、デザイン２の図柄（図８−２）が見え、正面より向かって右から見たると、デザイン３の図柄（図８−３）が見える。【０００１６】  完成したものは、横幕はタペストリーに粘着層で張り付け、ポスターは両面テープなどの粘着層でガラス面などに張りつける。（図１）
【図面の簡単な説明】
【００１７】
【図１】    本考案の実施形態を示す、斜視図
【図２】    図柄
【図３】    シートに印刷する為に三種類の図柄を並べ替えた図
【図４】    プリーツ加工され、シートの裏面から見た斜視図
【図５】    なか芯の展開図
【図６】    なか芯の斜視図
【図７】    上から見た平面図
【図８】    本考案により実際に見える三面ディスプレイ
【符号の説明】
【００１８】  １          各プリーツ間のシートの表面
２          プリーツの右側面
３          プリーツの左側面
１３        なか芯のプレートの右半分に一定間隔に入れた切込み
１４〜１７  なか芯の折り目
１１〜１２  なか芯のプリーツの間に挿入される挿入部
【図１】
0003128099.tif 000003
【図２】
0003128099.tif 000004
【図３】
0003128099.tif 000005
【図４】
0003128099.tif 000006
【図５】
0003128099.tif 000007
【図６】
0003128099.tif 000008
【図７】
0003128099.tif 000009
【図８】
0003128099.tif 000010
(57)【要約】【課題】  扉の開放を円盤ノブに機能をもたせて、手足の不自由な方、また、車椅子の方も扉からの、出入りを容易にした。【解決手段】  扉１の円盤ノブ３に押し圧を加えることにより、スライドカム８を駆動し、ラッチボルト９に設置されたピン７が、スライドカム８のカム１３の形状により移動すると共に、ラッチボルト９は、扉１の枠２の一部に設けられた孔より抜け、扉１は開錠開放される扉。  開放後扉１はオートヒンジ４の機能により、扉１はもとに戻り、常時力勢されているラッチボルト９が、扉１の枠２の一部に設けられた孔に収まり、設錠される。【選択図】図４
0003128095.tif 000002
【実用新案登録請求の範囲】
【請求項１】
扉の一部に固定した支部に、ラッチボルト開錠機能と結合した円盤型ノブ材に、バネで常時付勢されて、扉枠の一部と結合するロック部材を設ける一方、円盤型ノブ材に押し圧によりスライドカムと連動したラッチボルトを、扉枠に設けられた孔よりロック部材の結合を解く操作子を、配置したことを特徴とする扉。
【考案の詳細な説明】
【技術の分野】
【０００１】本考案は、扉ノブを、押す加圧により開錠解放する扉。
【背景技術】
【０００２】家族構成員の中に、身体不自由で握る力のない方には、ノブを握って回すことは至難であり、また、レバ式も同じと言える（以下特許文献ご参照）。【０００３】
【特許文献１】  特開１１−５０７０６
【特許文献２】  特表２００１−５０９９５５８
【考案の開示】
【考案が解決しようとする課題】
【０００４】本考案は、このような問題に鑑みてなされたもので、その目的とするところは、扉の開に円盤ノブを押す加圧による、両開き機能を備えた扉。
【課題を解決するための手段】
【０００５】本考案は、かかる課題を解決するための扉として、円盤ノブ材の一部に、ラッチボルトのラッチ解除機構と結合した、操作子を押す加圧操作加納に取り付けたものであり、また、扉の一部に固定した框支部に、ラツチボルトの解除機能と結合した円盤ノブ部材を押す加圧に動く自在に取り付けるとともに、円盤ノブには付勢部材に常備付勢されて、扉枠の一部に係合するロック部材を設けて、これを円盤ノブ部材の一部に設けた操作子により、開錠できるようにした扉である。
【考案の効果】
【０００６】手足の不自由な方でも、身体の一部を使い、円盤ノブを押す加圧動作によりラッチボルトを開錠でき、開いた扉は、オートヒンジ機能により扉は戻り設錠される。【０００７】円盤ノブを押す加圧動作により、開錠解放され、特に車椅子の場合後戻りなく、前進通行できる扉。
【考案を実施するための最良の形態】
【実施例】
【０００８】以下、本考案の実施例について説明する。図１は、設置された扉１の斜視図で、円盤ノブ３は扉１の両面に設置されている、オートヒンジ４は両開きで開放後オートヒンジ４の機能により、扉１は閉まり設錠される。【０００９】図２は図１に示したＡ−Ａ矢視図で、扉１の両開きを示した図である。【００１０】図３は、錠前全体の斜視図で、バネ１２により常時付勢されている、ラッチボルト９、また、開閉時に音の緩和を求め、ラッチボルト１０の先端に硬質シリコンゴムを装着した。【００１１】図４は、図３に示したＢ−Ｂ矢視図で、錠前ケース６本体に、バネ１２により、常時突き出し方向に付勢されたラッチボルト９は、円盤ノブ３を押す操作により、スライドカム８を押し込むと同時に、ラッチボルト９に施されたピン７を駆動し、ピン７はスライドカム８のカム１３の形状により移動するととちに、ラッチボルト９は扉枠２に施された孔より、ラッチボルト９は抜け開錠され開放される。
【産業上の利用可能性】
【００１２】本考案に拘わる扉は、特にバリアフリー建築の室内扉に、設置すれば身体不自由な方、また、握力の無い老人から、車椅子利用の方まで、身体の一部を使い円盤ノブを押し圧にて開錠、扉は開放され、後戻りなく前進で通行出来、その後オートヒンジ機能により扉は閉まり設錠される。産業上の利用価値は絶大である。
図５は、Ｂ−Ｂの矢視図で、円盤ノブ押し圧により、ラッチボルトが枠２より抜け、開錠した左開扉の図。【００１３】図６は、Ｂ−Ｂの斜視図で、円盤ノブ押し圧により、ラッチボルトが枠２より抜け、開錠した右開扉の図。
【図面の簡単な説明】
【００１４】
【図１】扉、全体の外観を示した斜視図である。
【図２】図２、に示したＡ−Ａの矢視図である。
【図３】扉、錠前部の斜視図である。
【図４】図３に示したＢ−Ｂ矢視図である。
【図５】Ｂ−Ｂの矢視図で、ラッチボルトが円盤ノブ押し圧により引き込み、左開の開錠を示した図である。
【図６】Ｂ−Ｂの矢視図で、ラッチボルトが円盤ノブ押し圧により引き込み、右開の開錠を示した図である。
【符号の説明】
１  扉本体
２  扉取り付け枠
３  円盤ノブ
４  オートヒンジ「公知のオートヒンジ左右開きを、一枚に合体したオートヒンジを設置する」
５  枢「ヒンジを取り付けるための角材」
６  錠前ケース
７  ラッチボルトに設置されたピン
８  スライドカム
９  ラッチボルト
１０  硬質シリコンゴム
１１  錠前ケース保持具
１２  バネ
１３  カム
Ａ−Ａ  矢視図
Ｂ−Ｂ  矢視図
【図１】
0003128095.tif 000003
【図２】
0003128095.tif 000004
【図３】
0003128095.tif 000005
【図４】
0003128095.tif 000006
【図５】
0003128095.tif 000007
【図６】
0003128095.tif 000008
(57)【要約】【課題】  従来、植木鉢等で育てている植物への給水は、保水状態を観察しながら毎日あるいは数日おきに行っているが、給水を忘れたり、数日以上家を空けて給水が出来ない状態が発生したりすると、鉢土を乾燥させて植物を枯らしてしまうことがある。  本考案は、極めて簡単な構造で数日間以上の長時間にわたりゆっくりと給水ができる器具で、鉢士の乾燥を防ぐものである。【解決手段】  飲料容器として多用されているＰＥＴボトルの空き容器を利用し、このＰＥＴボトルに入れた水を毛細管現象機能を持つ紐を用いてサイホンの原理でゆっくりと給水する。  さらには、毛細管現象機能を持つ紐の途中を、クリップ等で圧迫して水路を狭める機構を持たせて水分供給量を調節する。【選択図】図１
0003128077.tif 000002
【実用新案登録請求の範囲】
【請求項１】
飲料用のＰＥＴボトルを貯水容器とし、毛細管現象機能を持つ紐を容器の中から外へ配置して、水を移動させる自動給水器。
【請求項２】
毛細管現象機能を持つ紐の途中を、クリップ等で圧迫して水路を狭める機構を持たせて水分供給量を調節できる自動給水器。
【請求項３】
ＰＥＴボトルの蓋を毛細管現象機能を持つ紐の端部に配置して水の受け皿として使い、土と紐が直接触れないようにして、紐が汚れるのを防ぐ構造にした自動給水器。
【考案の詳細な説明】
【技術分野】
【０００１】  本考案は植木鉢等で育てている植物の給水に関するものである。
【背景技術】
【０００２】  植木鉢等で育てている植物は乾燥が大敵であり、水分の保有状態を観察しながら小まめに給水している。
【考案の開示】
【考案が解決しようとする課題】
【０００３】  従来、植木鉢等で育てている植物への給水は、保水状態を観察しながら毎日あるいは数日おきに行っているが、給水を忘れたり、数日以上家を空けて給水が出来ない状態が発生したりすると、鉢土を乾燥させて植物を枯らしてしまうことがある。
本考案は、極めて簡単な構造で数日間以上の長時間にわたりゆっくりと給水ができる器具で、鉢土の乾燥を防ぐものである。
【課題を解決するための手段】
【０００４】  飲料容器として多用されているＰＥＴボトルの空き容器を利用し、このＰＥＴボトルに入れた水を毛細管現象機能を持つ紐を用いてサイホンの原理でゆっくりと給水する。
【考案の効果】
【０００５】  本考案は、数日〜２週間程度の長時間給水が可能になるため、数日給水ができない事態が発生しても、鉢土を乾燥させて植物を枯らすことを防ぐことができる。また、ＰＥＴボトルの残存水量を容易に確認できるので、１日当たりの水分供給量を容易に把握することができる。
さらには、毛細管現象機能を持つ紐をクリップ等で圧迫して水路を狭める機構を持たせて水分供給量を調節することもできる
【考案を実施するための最良の形態】
【０００６】  吸水性の良い紐、または吸水性の良いクロスシートあるいは不織布シートを短冊状に切断し紐状にしたものを、ＰＥＴボトルの口を経由して中から外に配置し、このＰＥＴボトルに水を入れることで、水は毛細管現象とサイホンの原理でゆっくりとＰＥＴボトルの中から外へ移動する。
また、紐の途中をクリップのような圧迫できる器具を使って、水の移動量を調整することも出来る。
【実施例】
【０００７】  以下、添付図面に基いて、この発明の実施例を説明する。
【実施例１】  図１で、給水用の紐として、６０ｃｍの長さに切った荷造り・農作業等で使われる直径６φのアクリルスピンドル紐を、２リットルのＰＥＴボトルの口を経由して中から外に配置する。
この紐の先端にはＰＥＴボトルの蓋を接着剤で固定して、蓋を土の上におく。
このＰＥＴボトルに水道水を２リットル入れて、植木鉢の上に置くことで、約１週間ゆっくりと給水することが出来る。  図２に実験データを示す。
【実施例２】
【０００８】  実施例１の紐をアクリルスピンドルの４φに変更した場合、水の移動がさらに遅くなる。
【実施例３】  実施例１の紐の代わりに、ワコー株式会社製の「超吸水ふきとりクロス」を幅５ｍｍに切断し紐状にしたものに変更する。
【実施例４】  実施例３で紐の途中を、事務用のバインダークリップを使って圧迫して、水の移動量を下げる。
【比較例】
【０００９】  実施例１で紐を６φの綿混紡ロープに変更した場合は、毛細管現象が良くないために殆ど給水できない。
【図面の簡単な説明】
【００１０】
【図１】ＰＥＴボトル自動給水器の断面図である
【図２】ＰＥＴボトル自動給水器の給水実験データである
【符号の説明】
【００１１】１  ＰＥＴボトル
２  毛細管現象を有する紐
３  クリップ
４  ＰＥＴボトルの蓋
５  水
【図１】
0003128077.tif 000003
【図２】
0003128077.tif 000004
【手続補正書】
【提出日】平成18年8月18日(2006.8.18)
【手続補正１】
【補正対象書類名】実用新案登録請求の範囲
【補正対象項目名】全文
【補正方法】変更
【補正の内容】
【実用新案登録請求の範囲】
【請求項１】
飲料用のＰＥＴボトルを貯水容器とし、毛細管現象機能を持つ紐を容器の中から外へ配置して、水を移動させる自動給水器。
【請求項２】
毛細管現象機能を持つ紐の途中を、クリップ等で圧迫して水路を狭める機構を持たせて水分供給量を調節できるようにしたことを特徴とする請求項１に記載の自動給水器。
【請求項３】
ＰＥＴボトルの蓋を毛細管現象機能を持つ紐の端部に配置して水の受け皿として使い、土と紐が直接触れないようにして、紐が汚れるのを防ぐ構造にしたことを特徴とする請求項１又は２に記載の自動給水器。
(57)【要約】      （修正有）【課題】お墓や家庭での蝋燭の火が消えがたく、風で倒れにくく、お墓等屋外でそのまま置いて使うことが出来る。【解決手段】上方に向かって伸びた針金とつまみの付いた針金棒付蝋燭立て（２）を設ける。風防の上端には空気取り入れ穴付き中蓋（３）を設ける。これを使用する時は針金棒付き蝋燭立て（２）に蝋燭を取り付け、風防の外であるいは風防の上端付近で蝋燭に着火して、風防の中にいれる。その後、風防の効果を万全とするため円筒形風防の上端に空気取り入れ穴付中蓋（３）を閉める。【選択図】図１
0003128075.tif 000002
【実用新案登録請求の範囲】
【請求項１】
空洞の透明なガラスからなるコップ形で、上部に穴のあいた蓋を付け、小さい空気取り入れ穴を設ける。
中に蝋燭立ての台を置き、蝋燭台に取り付けた針金棒で上、下出し入れ自由なお墓用、家庭用の蝋燭立ての風防器具。
【考案の詳細な説明】
【技術分野】
【０００１】  本考案はお墓用・家庭用の風防器具に関するものである。
【背景技術】
【０００２】  従来、お墓に使用される蝋燭立ては防風用になっていないため、風で蝋燭の火が消えやすく、販売されているものは高価であり、蝋燭の煤がついてあとで洗う必要があった。
【考案が解決しようとする課題】
【０００３】  本考案は風防により蝋燭の火が消えがたく、煤もつかず、美しく安価にすることを課題とする。
【課題を解決するための手段】
【０００４】  空洞の透明なガラスからなる円筒で、その上端には取り外し可能な蓋を付ける。蓋には多数の空気穴が設けられている。また、使用後、この蓋から雨水等が入らぬように上蓋をして密封できる。
【考案の効果】
【０００５】  円筒形の風防と空気穴のある蓋があるので、風を防ぎ、また酸素不足により火が消えることもない。円筒が重量があるので、風に倒れる恐れがない。また使用後は上蓋をすることにより、雨やその他の異物が入らぬよう密封することができる。
【考案を実施するための最良の形態】
【０００６】  以下、本考案の実施の形態を説明する。
（イ）  上方に向かって伸びた針金とつまみの付いた針金棒付き蝋燭立て（２）を設ける。
（ロ）  風防の上端には空気取り入れ穴付き中蓋（３）を設ける。
本案は以上のような構造で、これを使用する時は針金棒付き蝋燭立て（２）に蝋燭を取り付け、風防の外であるいは風防の上端付近で蝋燭に着火して、風防の中にいれる。その後、風防の効果を万全とするため円筒形風防の上端に空気取り入れ穴付き中蓋（３）を閉める。
万全とするため円筒形風防の上端に空気取り入れ穴付き中蓋（３）を閉める。【０００７】  また、図３のように使用後用上蓋（４）を取り付けることにより、使用後に雨やその他の異物が入らぬよう密封することができる。
【図面の簡単な説明】
【０００８】
【図１】本考案の斜視図
【図２】本考案の使用状態を示す斜視図
【図３】本考案の他の使用状況を示す斜視図
【図４】参考斜視図
【符号の説明】
【０００９】  １  風防
２  針金棒付き蝋燭立て
３  空気取り入れ穴付き中蓋
４  使用後用上蓋
【図１】
0003128075.tif 000003
【図２】
0003128075.tif 000004
【図３】
0003128075.tif 000005
【図４】
0003128075.tif 000006
【手続補正書】
【提出日】平成18年9月1日(2006.9.1)
【手続補正１】
【補正対象書類名】実用新案登録請求の範囲
【補正対象項目名】全文
【補正方法】変更
【補正の内容】
【実用新案登録請求の範囲】
【請求項１】
空洞の透明なガラスからなる円筒形の防風蝋燭立て器具で、上部に空気取り入れ穴を設けた取り外し可能な蓋をつけ、内部には取り出し用針金棒付き蝋燭立を置くことを特徴とする風防蝋燭立て。
(57)【要約】【課題】  屋根工事の簡素化、工期の短縮、工事費用の軽減および耐風対策の強化を提供する。【解決手段】  複数の工法によって、別々に使用されている部材を組み合わせて部分接着し、一体を成す部材にして使用することで、単一の工法により工事が完了することを特徴とする。【選択図】図１
0003128076.tif 000002
【実用新案登録請求の範囲】
【請求項１】
複数の工法において別々に使用される部材に部分接着を施し組み合わせることで、単一工法による屋根工事を可能にした一体化屋根材。
【考案の詳細な説明】
【技術分野】
【０００１】  この考案は、屋根工事の簡素化、工期の短縮、工事費用の軽減、耐風対策の強化などを実現するため、複数の工法を１つにまとめて工事を完了させることを可能にした一体化屋根材に関するものである。
【背景技術】
【０００２】  従来、屋根工事は、下地材、ルーフィング防水、断熱、瓦葺きなどの工法を、専門職人が別々に分担していた。
【考案の開示】
【考案が解決しようとする課題】
【０００３】  そのために次のような問題点があった。
下地材を貼る専門の職人から屋根を葺く専門の職人まで、各工法を別々に分担するため、工事が複雑になるとともに長期に亘ってしまい、工事費用もかさむことが多かった。
【課題を解決するための手段】
【０００４】  複数の工法により別々になっている部材に部分接着を施し組み合わせることで、１個の部材として使用することにより、単一の工法で工事が完了する屋根材である。
【考案の効果】
【０００５】部分接着を施して一体を成す屋根材を使用したため、台風や強い風にも吹き飛ばされる心配がなくなり、また従来分業していた専門職人の内、１人の大工または屋根屋によって施工することが可能となって、屋根工事の簡素化や工期の短縮が図られ、工事費用の軽減をもたらす。また、本体は軽量でさらに垂木のある箇所ごとに釘で打ち込まれているため、建物としっかり固定されて耐風対策も強化される。
【考案を実施するための最良の形態】
【０００６】  以下本考案の実施例について説明する。
リブ鉄板・耐熱スチレンホーム・ルーフィング防水紙・コンパネ又は耐火野地板の各部材を図１のように一体化した本屋根材（以下本体という）を重ね合わせて、その接合部分を垂木の上に置く。接合部分の左右数箇所で、本体と垂木に釘を打ち込んでとめる。本体は屋根の下方から一枚ずつ横へ並べて、上方へ向かって葺き進めていく。以上の作業は、１人の職人でも可能となる。
【図面の簡単な説明】
【０００７】
【図１】  本考案の斜視図である。
【図２】  図１のＡから見た側面図である。
【符号の説明】
【０００８】  １  リブ鉄板
２  耐熱スチレンホーム
３  ルーフィング防水紙
４  コンパネ又は耐火野地板
【図１】
0003128076.tif 000003
【図２】
0003128076.tif 000004
【手続補正書】
【提出日】平成18年10月1日(2006.10.1)
【手続補正１】
【補正対象書類名】実用新案登録請求の範囲
【補正対象項目名】全文
【補正方法】変更
【補正の内容】
【実用新案登録請求の範囲】
【請求項１】
コンパネ（４）の表面に、数箇所の点もしくは縦線の状態で部分的に接着剤を施し、該コンパネと同じ幅で所定の分だけ長いルーフィング防水紙（３）を該コンパネの上端部に揃えて貼り合わせ、次に該ルーフィング防水紙の上端部からは下方向に、右端部からは左方向に、それぞれ前記の所定の長さと同じ分だけずらして、該ルーフィング防水紙の左端部は前記の所定の長さと同じ分だけはみださせ、該ルーフィング防水紙の下端部は揃えて、耐熱スチレンホーム（２）と貼り合わさる部分の範囲内の該ルーフィング防水紙の表面に前記と同様に接着剤を施し、耐熱スチレンホーム（２）を貼り合わせ、さらに該耐熱スチレンホームの表面に前記と同様に接着剤を施し、該耐熱スチレンホームと同じ幅で前記の所定の長さと同じ分だけ長いリブ鉄板（１）を該耐熱スチレンホームの上端部に揃えて貼り合わせて１個の部材だけで施工を可能にすることを特徴とする一体化屋根材。
(57)【要約】      （修正有）【課題】写真をより美麗に引き立てる写真立ての提供。【解決手段】写真立てのウラ板の両面に異なる配色を施す事により、１枚のウラ板で写真に応じて両面を使い分け、より美麗に引き立てる事が出来る。又、ノングレア（つや消し）素材のオモテ板は、照明の反射を抑え写真が見易くなる。【選択図】図１
0003128078.tif 000002
【実用新案登録請求の範囲】
【請求項１】
オモテ板とウラ板の２枚セットからなり、１枚のウラ板の表面と裏面に異なる配色を施したアクリル製写真立て。（４ヶ所ネジ止め）
【請求項２】
オモテ板はノングレア（艶消し）素材を使用するアクリル製写真立て。
【考案の詳細な説明】
【考案の詳細の説明】
【技術分野】
【０００１】  本考案は、写真をより美麗に引き立て目に優しい写真立てに関する。
【背景技術】
【０００２】  従来の写真立ては表、裏とも透明板を使用するか又は、裏板は単色であった。従って写真をより美麗に引き立てることは困難である。
【考案が解決しようとする課題】
【０００３】  本考案は、写真をよりやさしく美麗に引き立てる写真立てを提供することである。
【課題を解決するための手段】
【０００４】  上記課題に対し、ウラ板の表、裏両面に異なる配色（背景色）を施し、オモテ板にノングレア素材（つや消し）を用いる事により写真をより引き立てることを見出した。
【０００５】オモテ板のノングレア（つや消し）素材は、マット面を表にしツヤ面を裏にすることにより照明の反射を抑え、映し込みを防ぐことが出来る。
【０００６】ウラ板は色素材を使用し片面にシルク印刷で異なる配色を施す。
【０００７】ウラ板は透明素材にシルク印刷で、両面に異なる配色を施す事も出来る。
【０００８】写真立ての大きさは、Ｌ版、２Ｌ版、六切、四切、Ａ４判位まで可能である。ただし六切以上は吊下げ式の方が良い。
【実施例】
【０００９】写真立てのウラ板の表面はブラック色、裏面はライトグレー色を施した。オモテ板の表面はノングレア素材（つや消し）のマット面を配置した。（図１、図２）
【考案の効果】
【００１０】実施例において、明るい写真をウラ板のブラック色面に配置し、ノングレア（つや消し）のオモテ板を被せ４箇所をネジ止めしスタンドさせる。（図１）又、ウラ板のライトグレー色面に暗い（濃い）写真を同様に配置する（図２）。両方とも写真が美麗に際立って引き立ち、照明の反射もかなり抑えられて大変見易かった。
【図面の簡単な説明】
【００１１】
【図１】は、本考案の写真立て・リバーシブルフォトスタンドの１例の概略図である。明るい写真をウラ板のブラック色面とオモテ板にセットした状態である。
【図２】は、上記写真立て・リバーシブルフォトスタンドの別例の概略図である。暗目（濃い目）の写真をウラ板のライトグレー面とオモテ板にセットした状態である。
【図３】は、上記の側面図である。
【符号の説明】
【００１２】１    写真立て・リバーシブルフォトスタンドのオモテ板２    写真立て・リバーシブルフォトスタンドのウラ板２ａ  ウラ板のブラック色面２ｂ  ウラ板のライトグレー色面３    写真４    固定ネジ５    スタンドネジ（長ネジ）６    固定ネジ（短ネジ）
【図１】
0003128078.tif 000003
【図２】
0003128078.tif 000004
【図３】
0003128078.tif 000005
【手続補正書】
【提出日】平成18年8月21日(2006.8.21)
【手続補正１】
【補正対象書類名】実用新案登録請求の範囲
【補正対象項目名】全文
【補正方法】変更
【補正の内容】
【実用新案登録請求の範囲】
【請求項１】
表板と裏板の２枚セットからなり、１枚の裏板の表面と裏面に異なる配色を施したアクリル製写真立て。
【手続補正２】
【補正対象書類名】明細書
【補正対象項目名】全文
【補正方法】変更
【補正の内容】
【考案の詳細な説明】
【考案の詳細の説明】
【技術分野】
【０００１】本考案は、写真に応じて写真をより効果的、美麗に引き立てる写真立てに関する分野である。
【背景技術】
【０００２】従来の写真立ては表、裏とも透明板を使用するか又は、裏板は単色であった。従って写真に応じて写真をより効果的、美麗に引き立てることは難しい場合がある。
【考案が解決しようとする課題】
【０００３】本考案は、写真に応じて写真をより効果的、美麗に引き立てる写真立てを提供することである。
【課題を解決するための手段】
【０００４】上記課題に対し、裏板の表、裏両面に異なる配色（背景色）を施す事により、写真に応じて写真をより効果的、美麗に引き立てることを見出した。
【０００５】裏板は色素材を使用し片面にシルク印刷で異なる配色を施す。
【０００６】裏板は透明素材にシルク印刷で、両面に異なる配色を施す事も出来る。
【０００７】写真立ての大きさは、通常Ｌ版、２Ｌ版である。なお六切判、四切判、Ａ４判以上も可能である。
【０００８】〔実施例〕写真立ての裏板の表面はブラック色、裏面はライトグレー色を施した。表板の表面は艶消し素材の艶消面を配置した。（図１、図２）
【考案の効果】
【０００９】実施例において、明るい写真を裏板のブラック色面に配置し、艶消し素材の表板を被せ、４箇所をネジ止めしスタンドさせる。（図１）又、裏板のライトグレー色面に暗い（濃い）写真を同様に配置する。（図２）両方とも写真が効果的、美麗に際立って引き立った。
【図面の簡単な説明】図１は、本考案の写真立て・リバーシブルフォトスタンドの１例の概略図である。明るい写真を裏板のブラック色面と表板にセットした状態である。
図２は、上記写真立て・リバーシブルフォトスタンドの別例の概略図である。暗目（濃い目）の写真を裏板のライトグレー面と表板にセットした状態である。
図３は、上記の側面図である。
【符号の説明】
１    写真立て・リバーシブルフォトスタンドの表板
２    写真立て・リバーシブルフォトスタンドの裏板
２ａ  裏板のブラック色面
２ｂ  裏板のライトグレー色面
３    写真
４    固定ネジ
５    スタンドネジ（長ネジ）
６    固定ネジ（短ネジ）
〔書類名〕  要約書
〔要約〕
〔課題〕  写真に応じて写真をより効果的、美麗に引き立てる写真立ての提供。
〔解決手段〕  写真立ての裏板の両面に異なる配色を施す事により、１枚の裏板で写真に応じて両面を使い分け、より効果的、美麗に引き立てる事が出来る。
〔選択図〕  図１、図２
(57)【要約】【課題】  本考案は従来の犬等の尿処理は科学処理紙製品が使用されていたが、躾けの問題も有り中々難しく、臭いや使用済みの紙製品のゴミの問題、又、それに掛かる出費等改善する事は多々あった。それに加え毎日の外出しての排尿などは、気象条件に左右され数日間も外に出掛けられない時など大変な事である。部屋の中での生活を余儀なくされ、屎尿の処理は大変な作業であった。【解決手段】  雌犬や猫などの尿処理は座位型式で使用するが、本考案は臭気の問題を始め、清潔に使用出来尚かつ経済的にも問題が無く、簡単に取り扱える様に考案された。自然石床は繰り返しの煮沸消毒に耐用出来る様設計され、抗菌性に優れダニなどを防ぎます。４点着脱式尿処理器の特性でプラスッチク製便器だけを取り出し始末も出来、それぞれ分解し手軽に手入れも組み立ても簡単に出来る設計になっている。【選択図】図４
0003128072.tif 000002
【実用新案登録請求の範囲】
【請求項１】
動物本来の習性を利用した雌犬、猫の４点着脱式尿処理器である。本器は繰り返し使用出来るだけでなく、消臭と抗菌の為、水洗及び熱湯に依る煮沸消毒にも耐える素材を使用したところを特徴とした、４点着脱式尿処理機である。
【考案の詳細な説明】
【技術分野】
【０００１】本考案は、４点着脱式犬猫兼用、及び煮沸消毒耐用尿処理器である。
【背景技術】
【０００２】従来、犬猫の尿処理は敷き型使い捨て式で、コストも高額になり、使用済みのゴミ問題もあった。
【考案の開示】
【考案が解決しようとす課題】
【０００３】現在犬や猫など室内で飼われている時、問題は糞尿の処理である。従来品は敷き型方式で毎日の使用でのコスト高に加え使用済みのゴミの問題が有る。本考案品は繰り返し使用出来るだけではなく、画期的な方法で煮沸消毒に耐用出来る構造品にした事である。
【課題を解決するための手段】
【０００４】本考案は、雌犬、猫の尿の処理を目的に床に超浸透式の自然石を加工した模擬庭方式にした。周囲は目隠し用に雑草を模擬した加工品を配置した、自然石の上で使用すると超浸透式本体から滑り降りた尿は下方の受け皿に落ち最終的には受け皿から最下部に設けたプラスチック製便器へ送り込まれる構造になっている。使用後の自然石は軽量であり着脱式の為簡単に取り外せ浴室等で煮沸消毒ができる。又、最下部に設置された便器その物は容量も有り本体側面から引き出し可能な為、手を汚さず清潔に使用出来ます。
【考案の効果】
【０００５】上述の様に、本考案の４点着脱式、雌犬猫兼用尿処理器は、尿処理能力だけでは無く躾けの一環としてもよく、なりより尿処理費用がまったくが掛からず経済的に優れ、又、部屋のインテリアとして本体は自然石を使用した箱庭方式なので目障りにならない。構造上片手だけで最下部に設けた便器をトイレに流すだけの作業で済む便利性がある。
【考案の実施するための最良の形態】
【０００６】当初の臭い付けは様子を見て、飼い主が犬の尿を紙に数滴取り本体に擦り付ければ完全です、後は犬の習性で続きます。最下部の便器は容量が大きく２日間排出しなくても使用できる。本体、受け皿、便器は分離して洗浄できます、組み立ては子供でも数秒で出来る。本体自然石は繰り返し煮沸消毒に耐用出来る様設計されてます、自然石の特性を活しダニなどの発生を防ぎます。脱臭剤収納装置付きなので、部屋に臭いが拡散しない。
【実施例】
【０００７】以下、添付図面に従って一実施例を説明する。図１の１はプラスチック等適宣素材にて一体化された本考案本体、２は自然石受周り斑、図２の３は平面から見た尿受け本体、９は自然石受支柱、１０は本考案品の側面で有る、周りの草木は模造で目隠しの役目とし利用出来る、これは４点着脱式本体の組立て本体で有る。【０００８】図２の６は内部尿受け皿本体の平面図で、中心に傾斜を利用し尿の集役口の口径周りは活性炭を利用した消臭剤を備え付けた、下部便器から立ち上がる臭気を取り除く役目である。【０００９】図３は側面から見た１本体と、使用中の安心感とインテリアを兼ねた草木の模造で、周りを目隠し状にした物である。【００１０】図４は４点着脱式本体の全体切欠断面図である。８は自然石床、１ａは本体部分、２ａは自然石床受け周り斑、３ａは尿受け皿、６ａは集水口及び脱臭剤収納装置、４は受け皿本体の脚部、５は便器本体、７は便器取り出し取っ手部分、である。８の自然石を通過した後、３ａの受け皿を介し６ａの脱臭剤設置を経て、５の便器に集約される。【００１１】図５，６，７，８は４てん着脱式尿処理機のそれぞれの切欠断面図である。図５の１ａ、２ａは本体である、図６の３ａ、４ａは受け皿本体、６ａは脱臭剤設置集約口、９ａは自然石支え棒である。図７の５ａ、５ｂは便器本体、６ｂは集約口、７ａ、７ｂは取り出し取っ手、１１は尿逆流装置である。図８の８ａ、８ｂは自然石床の切欠断面図及び平面図である。
【図面の簡単な説明】
【００１２】
【図１】  本考案の４点着脱式本体の平面図である。
【図２】  受け皿本体の平面図である。
【図３】  本体測面図である。
【図４】  本体の全体の切欠断面図である。
【図５】  ４点着脱式本体の切欠断面図である。
【図６】  ４点着脱式受け皿の切欠断面図である。
【図７】  ４点着脱式尿受便器の切欠断面図である。
【図８】  ４点着脱式自然石床の切欠断面図である。
【符号の説明】
【００１３】  １    本体外周部分
２    自然床受け周り斑
３    受け皿
４    受け皿脚部
５    プラスチック製便器
６    集約口
７    取り出し取っ手
８    自然石床
９    自然石床支え柱
１０  本体側面及模造草木
１１  内部尿逆流装置
【図１】
0003128072.tif 000003
【図２】
0003128072.tif 000004
【図３】
0003128072.tif 000005
【図４】
0003128072.tif 000006
【図５】
0003128072.tif 000007
【図６】
0003128072.tif 000008
【図７】
0003128072.tif 000009
【図８】
0003128072.tif 000010
【手続補正書】
【提出日】平成18年7月7日(2006.7.7)
【手続補正１】
【補正対象書類名】実用新案登録請求の範囲
【補正対象項目名】全文
【補正方法】変更
【補正の内容】
【実用新案登録請求の範囲】
【請求項１】
本体の構成は、
（１）本体上部周りに差込み可能な模擬草、
（２）本体床部分には取外し可能な浸透自然石、
（３）自然石の下部には尿を中央に集結する為の尿受け皿、
（４）尿受け皿依り中央取尿口を経て集約する最下部の便器、
以上からなる４点着脱式尿処理器。
(57)【要約】      （修正有）【課題】体重が非常に重い患者でもマッサージを良好に施術でき、かつ、患者側でも気持ち良くマッサージを受けられるベッドを提供する。【解決手段】平面視で長方形状のベッド台１と該ベッド台１を支える脚とを具備するベッドにおいて、前記脚は６本設けられており、前記６本の脚の中、前記ベッド台の四隅の角に対応して脚２ａ，２ｂ，３ａ，３ｂが合計４本設けられており、該ベッド台１の長手方向に沿って設けられている脚２ａ，３ａと脚２ｂ，３ｂとの間に脚４ａ，４ｂが合計２本設けられており、前記脚と脚との間に設けられた合計２本の脚４ａ，４ｂは取り外し可能に構成されてなる。【選択図】図１
0003128031.tif 000002
【実用新案登録請求の範囲】
【請求項１】
ベッド台と該ベッド台を支える脚とを具備するベッドにおいて、
前記脚が６本設けられている
ことを特徴とするベッド。
【請求項２】
平面視で長方形状のベッド台の四隅の角に対応して脚が合計４本設けられており、該ベッド台の長手方向に沿って設けられている脚と脚との間に脚が合計２本設けられており、
前記脚と脚との間に設けられた合計２本の脚は取り外し可能に構成されてなることを特徴とする請求項１のベッド。
【請求項３】
ベッドがマッサージ用のものであることを特徴とする請求項１又は請求項２のベッド。
【考案の詳細な説明】
【技術分野】
【０００１】
本考案は、特に、マッサージ用のベッドに関する。
【背景技術】
【０００２】
マッサージは、ベッド台の上に仰向け（上向き）又はうつ伏せ（下向き）に寝た状態で行われる。このようなマッサージに用いられるベッドは、長方形状のベッド台と、このベッド台の四隅の角に合計４本の脚が設けられた構造である。
【０００３】
さて、このような従来からのベッドに被施術者（患者）が乗って施術を受ける場合、患者によっては非常に施術を施し難い場合が有った。
【０００４】
すなわち、患者の体重が非常に重い場合、四本の脚では支えきれ難く、施術中、時には、ベッドが軋むようなことも起き、施術性が悪く、又、患者側にあってはマッサージがいま一つで気持ち良くなれない場合が有った。
【考案の開示】
【考案が解決しようとする課題】
【０００５】
従って、本考案が解決しようとする課題は、前記問題点を解決することである。すなわち、体重が非常に重い患者でもマッサージを良好に施術でき、かつ、患者側でも気持ち良くマッサージを受けられるベッドを提供することである。
【課題を解決するための手段】
【０００６】
前記の課題は、ベッド台と該ベッド台を支える脚とを具備するベッドにおいて、
前記脚が６本設けられている
ことを特徴とするベッドによって解決される。
【０００７】
特に、平面視で長方形状のベッド台と該ベッド台を支える脚とを具備するベッドにおいて、
前記脚は６本設けられており、
前記６本の脚の中、前記ベッド台の四隅の角に対応して脚が合計４本設けられており、該ベッド台の長手方向に沿って設けられている脚と脚との間に脚が合計２本設けられており、
前記脚と脚との間に設けられた合計２本の脚は取り外し可能に構成されてなることを特徴とするベッドによって解決される。
【考案の効果】
【０００８】
上記のように構成させた本考案のベッドは、重量が非常に重い患者がベッド台上に乗っても、ベッド台は強固に支えられており、ベッド台が軋むようなことが起きない。
【０００９】
従って、施術者はマッサージ等の施術を良好に行える。このことは、逆に、患者側からすると、良好なマッサージを受けられることになる。
【考案を実施するための最良の形態】
【００１０】
図１は、本考案になるベッドの概略側面図である。
【００１１】
同図中、１はマッサージに際して用いられる平面視で長方形状のベッド台である。
【００１２】
２ａ，２ｂ，３ａ，３ｂ（２ｂ，３ｂは２ａ，３ａの背部に位置している為、図示されず。）は、ベッド台１の四隅の角に設けられた脚である。尚、脚２ａ，２ｂ，３ａ，３ｂはベッド台１に対して強固に取り付けられており、簡単には取り外すことが出来ないようになっている。
【００１３】
４ａは、ベッド台１の長手方向の端部（角部）に設けられている脚２ａと脚３ａとの中間位置に設けられた脚である。４ｂ（４ｂは４ａの背部に位置している為、図示されず。）は、ベッド台１の長手方向の端部（角部）に設けられている脚２ｂと脚３ｂとの中間位置に設けられた脚である。そして、これらの脚４ａ，４ｂは、ベッド台１に対して取り外し可能に設けられている。すなわち、脚４ａ，４ｂ取付機構が設けられているベッド台１であれば、該ベッド台１の購入後においても、必要に応じて脚４ａ，４ｂを購入することによって、後からでも６本脚のベッドと出来るようになっている。
【００１４】
上記のように構成させたベッドは、重量が非常に重い患者がベッド台上に乗っても、ベッド台は強固に支えられており、ベッド台が軋むようなことが起きない。従って、施術者はマッサージ等の施術を良好に行える。このことは、逆に、患者側からすると、良好なマッサージを受けられることになる。
【図面の簡単な説明】
【００１５】
【図１】本考案になるベッドの概略側面図
【符号の説明】
【００１６】
１                        ベッド台
２ａ，２ｂ，３ａ，３ｂ    脚
４ａ，４ｂ                脚
代  理  人  宇  高  克  己
【図１】
0003128031.tif 000003
(57)【要約】【課題】球根草、宿根草、多年草の多くは、花期を終えると地上部が枯れて無くなってしまうものが多く、露地栽培をしていて地上部が枯れて無くなってしまうと、植物名前や栽培位置が判らなくなってしまい、植え替えや庭の掘り起こしの時などに球根や元根を傷つけてしまったり、紛失してしまうことがよくある。【解決手段】球根草、宿根草、多年草等それぞれの植物の特性に合わせた形状で、側面と底面に根の成長を阻害しないように多数の穴をあけ、上部にネームプレートを付けた少し幅をもたせた縁のある籠状の容器をネームプレートの付いた縁の部分が地上に出るように地中に埋め込み、その中でそれらの植物を栽培することにで、地上部が枯れてなくなってしまっても、栽培している植物の名前も判るし、球根あるいは元根の位置を見失うこともなく露地栽培ができる様にしたもの。【選択図】図１
0003128084.tif 000002
【実用新案登録請求の範囲】
【請求項１】
球根草、宿根草、多年草などの植物を庭などの露地で栽培する場合、地上部が枯れて無くなっても栽培位置や何が栽培されているかを見失うことがないように、植物名が記入できるプレートを付けた容器の縁の部分が地上に出るように地中に埋め込んで、その中に球根や元根を植えて、それら植物を露地栽培しているのと同じようにするための籠状の容器。
【考案の詳細な説明】
【技術分野】
【０００１】  本考案は、地上部が枯れてなくなってしまう、球根草、宿根草、多年草などの植物の名前や栽培位置を見失わないように、これら植物を露地栽培するための籠状の容器に関するものである。
【背景技術】
【０００２】    植物の栽培位置付近に植物の名称等を書いて立てておくものはあるが、地上部が枯れてなくなってしまった球根草、宿根草、多年草などの球根や元根の地下部の位置を明確に示すものではなく、しかもネームプレートは紛失しやすい。【０００３】    鉢を地中に埋め込んで栽培すれば、栽培位置を見失うことはないが、根が鉢の中でしか張れなくなるので根詰まりを予防するためには大きめの鉢が必要となり、間隔を詰めた寄せ植えや混植には不向きであり、水の管理が鉢植え同様に面倒になり、露地植えの利点を失ってしまう。
【考案の開示】
【考案が解決しようとする課題】
【０００４】    球根草、宿根草、多年草の多くは花期を終えると地上部が枯れて無くなってしまうものが多く、庭などの露地で栽培していると栽培位置を見失ってしまい、植物の配置替えなどのために土を掘り起こしたりしたときに、球根や元根を傷つけてしまったり紛失してしまうことがよくある。また、栽培位置が明確でないために新芽の時期に雑草と間違えて抜いてしまうことも多い。また、地上部が無くなってしまうと、何という植物が植えてあるのかも忘れがちである。
【課題を解決するための手段】
【０００５】    球根草、宿根草、多年草等それぞれの植物の特性に合わせた形状、たとえば円筒形の浅いもの、深いもの、四角柱形の浅いもの、深いものなどの側面と底面全体にそれら植物の根の成長を阻害しない程度の大きさの多数の穴、又は網目状の隙間をあけ、上部にネームプレートの付いた少し幅のある縁を設けた本考案の籠状の容器を、その縁の部分が地上に出るように地中に埋め込んで、その中に球根あるいは元根を植えて植物の栽培をする事により問題を解決するものである。
【考案の効果】
【０００６】  籠状の容器を地中に埋め込んだ中に球根あるいは元根を植えて栽培するため、成長期には植物の根が容器の多数の穴又は網目状の隙間から容器の外にまで伸びることができるので、まったく露地栽培と同じになり、鉢栽培と違い容器も鉢よりも小さいもので済むし、鉢栽培のような管理もいらない。【０００７】  また、容器で球根又は元根がガードされているため、掘り起こしの時に球根や元根を傷つけてしまうことや、紛失することも防げるし、容器ごと引き上げられるので掘り起こしも楽になり、植え替えも簡単にできる。【０００８】  それら植物の地上部が枯れて無くなってしまっても、容器の地上部に出ているネームプレートのついた縁で栽培位置を見失うこともなく、何が栽培されているかも判るので、新芽の時に雑草と間違えて抜いてしまうことも少なくなるだろうし、混植や植付けのレイアウトもしやすくなる。
【考案を実施するための最良の形態】
【０００９】  上部開口部にはネームプレートのついた少し幅のある縁をもうけ、形状は円筒形、角柱形などで浅いもの、深いものなどそれぞれの植物の特性に合わせたものにして容器の側面と底面全体にはそれぞれの植物の球根、元根から出る根の成長を妨げない様な形状の多数の穴を開けた籠状の容器で、この容器を上部の縁が地上に出るように地中に埋め込みその中に球根あるいは元根をいれて露地栽培するものである。
【実施例】
【００１０】  実施例として円筒形のもので四角い穴の籠状の容器を図１に描いた。籠の素材はプラスチック等の腐食しにくいものを使用する。図２はこの籠状の容器をネームプレートおよび容器縁が地上に出るようにして地中に埋め込んで球根を栽培している様子を描いたもの。地上部にあるネームプレートと容器縁により、球根の植付け場所を見失うこともなく、球根から出る根は容器の外に伸びて成長できるので、容器内で球根を栽培しても、露地栽培しているのと同じことになる。
【図面の簡単な説明】
【００１１】
【図１】植物栽培籠の一実施例の全体を示した図。
【図２】実際に球根を地中で栽培している様子を籠の一部を切断して見やすく描いた図。
【符号の説明】
【００１２】    １  ネームプレート部
２  籠上部縁
３  底の部分を下側から見た図
４  地面
５  球根
６  根
【図１】
0003128084.tif 000003
【図２】
0003128084.tif 000004
【手続補正書】
【提出日】平成18年9月22日(2006.9.22)
【手続補正１】
【補正対象書類名】実用新案登録請求の範囲
【補正対象項目名】請求項１
【補正方法】変更
【補正の内容】
【請求項１】
上部開口の円筒形、四角柱形などの形状の側面と底面全体に植物の根が外に伸びられるような多数の穴を開けた籠状の容器の、上部開口部の縁に植物名が記入できるネームプレートを付けて、上縁部を地上に出るように地中に埋め込んで、露地で植物栽培をするための植物栽培籠。